(57)【要約】      （修正有）【課題】多角形の図柄を簡単且つ迅速に、而も任意の大きさに描くことができる多角形描画用定規を提供する。【解決手段】円形板からなる定規本体２と、該定規本体２の中心に設けた円環状の支軸３をもって該定規本体２の面に沿って回転自在に取り付けた、幅方向の中心部に、長さ方向に沿った直線４を表示すると共に、該定規本体２の外周より突出する部分に、前記直線４上に位置するマーキング用穴５を設けた細長い透明板からなるマーキング用附設体６とからなる。前記定規本体２の一方又は両方の面に、その中央部に所要数の多角形の図柄７，８，９，１０，１１を表示すると共に、前記多角形の図柄７，８，９，１０，１１における各角部の位置と定規本体の中心とを結ぶ線上における所要の位置に所要の長さの直線１２を表示する。【選択図】図２
0003153143.tif 000002
【実用新案登録請求の範囲】
【請求項１】
円形板からなる定規本体と、該定規本体の中心に設けた円環状の支軸をもって該定規本体の面に沿って回転自在に取り付けた、幅方向の中心部に、長さ方向に沿った直線を表示すると共に、該定規本体の外周より突出する部分に、前記直線上に位置するマーキング用穴を設けた細長い透明板からなるマーキング用附設体とからなり、前記定規本体の一方又は両方の面に、その中央部に所要数の多角形の図柄を表示すると共に、前記多角形の図柄における各角部の位置と定規本体の中心とを結ぶ線上における所要の位置に所要の長さの直線を表示してなることを特徴とする多角形描画用定規。
【請求項２】
前記定規本体の多角形の図柄における各角部の位置と定規本体の中心とを結ぶ線上における所要の位置にマーキング用穴を設けてなる請求項１記載の多角形描画用定規。
【請求項３】
前記定規本体の外周部に、同心円状に、中央部に表示した多角形の図柄に対応する数の所定幅の円を表示すると共に、該円と多角形の図柄とに、夫々対応するもの同士に共通の彩色を施してなる請求項１又は２記載の多角形描画用定規。
【考案の詳細な説明】
【技術分野】
【０００１】  本考案は多角形の図柄を簡単且つ迅速に、而も任意の大きさに描くことができるようになした多角形描画用定規に関するものである。
【背景技術】
【０００２】  三角形、四角形、五角形、六角形、七角形、八角形、九角形等の多角形の図柄を描くには、従来は各多角形ごとに夫々の角の角度を計算し、そしてこれを基に紙面上に分度器を用いて角ごとのマーキングを行い、その後定規を用いてマーキングを結ぶ線を引いて完成させるという作業によって行っていた。【０００３】  しかし、このように各多角形ごとに夫々の角の角度を計算することは面倒であり、加えて分度器によって各角の正確な位置にマーキングすることには、実際上多大な手間と時間を要するものである。そして更にまた、各角のマーキングは分度器の外側に行うものであるから、描こうとする多角形の図柄の大きさは分度器の大きさに制約され、自由に任意の大きさに描くことはできない。また、透明なプラスチックの薄板に大きさの異なる多角形の穴をあけた定規も市販されているが、各穴の大きさにしか描くことができず、必要とする大きさとの間に微妙な差があれば、その使用を断念せざるを得ない。
【考案の概要】
【考案が解決しようとする課題】
【０００４】  本考案は上記の点に鑑みなされたものであって、従来の如く各多角形ごとに夫々の角の角度を一々計算する必要がなく、また分度器を用いて行う場合に比してはるかに簡単且つ迅速に、而も任意の大きさに描くことができるようになした多角形描画用定規を提供しようとするものである。
【課題を解決するための手段】
【０００５】  而して、本考案の要旨とするところは、円形板からなる定規本体と、該定規本体の中心に設けた円環状の支軸をもって該定規本体の面に沿って回転自在に取り付けた、幅方向の中心部に、長さ方向に沿った直線を表示すると共に、該定規本体の外周より突出する部分に、前記直線上に位置するマーキング用穴を設けた細長い透明板からなるマーキング用附設体とからなり、前記定規本体の一方又は両方の面に、その中央部に所要数の多角形の図柄を表示すると共に、前記多角形の図柄における各角部の位置と定規本体の中心とを結ぶ線上における所要の位置に所要の長さの直線を表示してなることを特徴とする多角形描画用定規にある。【０００６】  また、上記構成において、定規本体の多角形の図柄における各角部の位置と定規本体の中心とを結ぶ線上における所要の位置にマーキング用穴を設けるようになしてもよい。【０００７】  また、上記構成において、定規本体の外周部に、同心円状に、中央部に表示した多角形の図柄に対応する数の所定幅の円を表示すると共に、該円と多角形の図柄とに、夫々対応するもの同士に共通の彩色を施すようになしてもよい。
【考案の効果】
【０００８】  本考案は上記の如き構成であるから、従来の如く各多角形ごとに夫々の角の角度を一々計算する必要がなく、また分度器を用いて行う場合に比してはるかに簡単且つ迅速に、而も任意の大きさに描くことができるものである。【０００９】  また、定規本体の多角形の図柄における各角部の位置と定規本体の中心とを結ぶ線上における所要の位置にマーキング用穴を設けるようになした場合には、マーキング用附設体を用いて行う他に、定規本体のみでも行うことができるようにすることができるものである。【００１０】  また、定規本体の外周部に、同心円状に、中央部に表示した多角形の図柄に対応する数の所定幅の円を表示すると共に、該円と多角形の図柄とに、夫々対応するもの同士に共通の彩色を施すようになした場合には、各多角形の種類が分かり易くなると共に、各多角形における夫々の角の位置を見つけ易く、もってより一層作業の迅速性を向上させることができるものである。
【図面の簡単な説明】
【００１１】
【図１】本考案の実施形態に係る多角形描画用定規の斜視図である。
【図２】同平面図である。
【図３】同使用方法の説明図である。
【考案を実施するための形態】
【００１２】    以下、本考案を実施するための形態について、図面を参照して説明する。
【００１３】  図中、１は多角形描画用定規である。該多角形描画用定規１は、円形板からなる定規本体２と、該定規本体２の中心に設けた円環状の支軸３をもって該定規本体２の面に沿って回転自在に取り付けた、幅方向の中心部に、長さ方向に沿った直線４を表示すると共に、該定規本体２の外周より突出する部分に、前記直線４上に位置するマーキング用穴５を設けた細長い透明板からなるマーキング用附設体６とからなり、前記定規本体２の一方又は両方の面に、その中央部に所要数の多角形の図柄７，８，９，１０，１１を表示すると共に、前記多角形の図柄７，８，９，１０，１１における各角部の位置と定規本体の中心とを結ぶ線上における所要の位置に所要の長さの直線１２を表示してなるものである。
【００１４】  また、本実施形態においては、前記定規本体２とマーキング用附設体６は、いずれもプラスチックをもって製作しており、また、前記多角形の図柄７，８，９，１０，１１及び直線１２は、定規本体２の表面に表示したものを示しているが、裏面にも同様に表示している。尚、裏面における多角形の図柄は、表面におけるそれとは異なる種類のものとしている。また、前記多角形の図柄７，８，９，１０，１１は、７が八角形、８が四角形、９が九角形、１０が六角形、１１が三角形としているが、勿論この他のものとしてもよい。また、これらの多角形の図柄７，８，９，１０，１１は、重なり合うと見たときに分かりにくくなるため、大きさを違えている。また、多角形の図柄７，８，９，１０，１１における各角度の位置と定規本体２の中心とを結ぶ線上に表示した所要の長さの直線１２の夫々には数字で角度を表示している。
【００１５】  また、本実施形態においては、定規本体２の多角形の図柄７，８，９，１０，１１における各角部の位置と定規本体２の中心とを結ぶ線上における所要の位置にマーキング用穴１３を設けている。このようになしたことにより、マーキング用附設体６を用いて行う他に、マーキング用穴１３を用いて定規本体２のみでも行うことができるようになるものである。
【００１６】  更にまた、本実施形態においては、定規本体２の外周部に、同心円状に、中央部に表示した多角形の図柄７，８，９，１０，１１に対応する数の所定幅の円１４，１５，１６，１７，１８を表示すると共に、該円１４，１５，１６，１７，１８と多角形の図柄７，８，９，１０，１１とに、夫々対応するもの同士に共通の彩色を施している。また、本実施形態においては、八角形の図柄７と一番外側の円１４とを深緑、四角形の図柄８と前記円１４の内側の円１５を橙、九角形の図柄９と前記円１５より白い円を挟んだ内側の円１６を青、六角形の図柄１０と前記円１６より内側の円１７を緑、三角形の図柄１１と前記円１７より内側の円１８を赤としている。なお、彩色は上記に限らず適宜に選択して行う。このようになしたことにより、各多角形７，８，９，１０，１１の種類が分かり易くなると共に、各多角形７，８，９，１０，１１における夫々の角の位置を見つけ易く、もってより一層作業の迅速性が向上するものである。
【００１７】  次に、上記本実施形態の使用方法について説明する。
図３には三角形の図柄を描く場合の例を示しており、先ず、用紙にコンパス（図示せず。）を用いて所望の大きさの円を描く。尚、図示した例では、大きさの異なる三つの同心円Ｃ１，Ｃ２，Ｃ３を描いている。また、この円Ｃ１，Ｃ２，Ｃ３は、後から消すことができるように鉛筆を用いて描いている。次に、定規本体２を、その中心を円Ｃ１，Ｃ２、Ｃ３の中心に合わせて用紙上に置く。そしてマーキング用附設体６を回して、それに表示した直線４を三角形の図柄１１の角を示す直線１２と一致させる。そしてこの状態においてマーキング用穴５にマーキング用の筆記具、例えば鉛筆（図示せず。）の芯を差し込んで点状の印Ｐをつける。また、本例は三角形の図柄であるから、マーキング用附設体６を回しながら、順次３箇所に点状の印Ｐをつける。次に、定規本体２を用紙から取り去り、定規（図示せず。）を用いて円Ｃ１，Ｃ２，Ｃ３の中心（コンパスの刺し穴）から上記点状の印Ｐの夫々を通る直線Ｌ１，Ｌ２，Ｌ３を引く。尚、この直線も鉛筆を用いて引く。そして、該直線Ｌ１，Ｌ２，Ｌ３と最初に描いた円Ｃ１，Ｃ２，Ｃ３との交点に夫々点状の印Ｐ´をつける。そして、上記直線Ｌ１，Ｌ２，Ｌ３と円Ｃ１，Ｃ２，Ｃ３の交点につけた点状の印Ｐ´を、定規を当てて直線Ｌで結べば三角形の図柄が描かれ、その後鉛筆で描いた不要な線を消せば作業が完了する。
【００１８】  また、本使用方法では、点状の印Ｐをつけるためにマーキング用附設体６を用いて行ったが、定規本体２に設けられたマーキング用穴１３を用いて行うようにしてもよい。この場合には、所要のマーキング用穴１３に鉛筆の芯を差し込んで点状の印Ｐをつけるものである。尚、その他は上記の作業と同様である。
【符号の説明】
【００１９】  １  多角形描画用定規
２  定規本体
３  円環状の軸
４  直線
５  マーキング用穴
６  マーキング用附設体
７，８，９，１０，１１  多角形の図柄
１２  直線
１３  マーキング用穴
１４，１５，１６，１７，１８  円
【図１】
0003153143.tif 000003
【図２】
0003153143.tif 000004
【図３】
0003153143.tif 000005